(57)【要約】【課題】作業性を向上することができる貯蔵庫を提供すること。センサの感度の低下を抑制することができる貯蔵庫を提供すること。【解決手段】貯蔵庫１０は、前方に開口する開口部１４を有する箱状の貯蔵庫本体１１と、貯蔵庫本体１１に対して回動可能に取り付けられ、開口部１４を開放する開位置と開口部１４を閉じる閉位置との間で回動可能な扉１３と、閉位置にある扉１３を開位置側に押し出して回動させる開扉装置４０と、人体の一部が接近したことを検知する人感センサ６４と、人感センサ６４からの検知信号を受けて開扉装置４０を作動させる制御部７０と、を備え、人感センサ６４Ｃ，６４Ｄは、貯蔵庫本体１１の底面をなす底面部１８の庫外側面における前側に配されている。【選択図】図１
2020133960.tif 000002
【特許請求の範囲】
【請求項１】
前方に開口する開口部を有する箱状の貯蔵庫本体と、
前記貯蔵庫本体に対して回動可能に取り付けられ、前記開口部を開放する開位置と前記開口部を閉じる閉位置との間で回動可能な扉と、
前記閉位置にある前記扉を前記開位置側に押し出して回動させる開扉装置と、
人体の一部が接近したことを検知するセンサと、
前記センサからの検知信号を受けて前記開扉装置を作動させる制御部と、を備え、
前記センサは、前記貯蔵庫本体の底面をなす底面部の庫外側面における前側に配されていることを特徴とする貯蔵庫。
【請求項２】
前記底面部の庫外側面における前側には、前記開扉装置が取り付けられ、
前記開扉装置は、前方へ延出した延出部を有し、
前記センサは、前記延出部の下面において、下方を向く形で配されていることを特徴とする請求項１に記載の貯蔵庫。
【請求項３】
前記延出部は、
第１延出部と、
前記第１延出部の上方において、前記第１延出部に重畳する形で配された第２延出部と、を有し、
前記センサは、前記第１延出部の下面において、下方を向く形で配されていることを特徴とする請求項２に記載の貯蔵庫。
【請求項４】
前記底面部の庫外側面における前側には、前記開扉装置と、前記開扉装置と前記センサとを覆うカバー部材と、が取り付けられ、
前記カバー部材の下面をなす下面部には、下方に開口する下面部開口部が設けられ、
前記センサは、前記下面部開口部から露出していることを特徴とする請求項１から請求項３のいずれか１項に記載の貯蔵庫。
【発明の詳細な説明】
【技術分野】
【０００１】
本発明は、貯蔵庫に関する。
【背景技術】
【０００２】
従来、貯蔵庫として、特許文献１に記載のものが知られている。特許文献１に記載の貯蔵庫では、押し出し棒により扉を押し開けるソレノイド式の開扉装置（扉開放用ユニット）を備える構成が開示されている。また、上記のような構成の貯蔵庫が、開扉装置を作動させるためのセンサを備えることが知られている。このような構成では、例えば、扉に設けられたセンサに作業者の指が接触する（又は近接する）ことで開扉装置が作動するものとされる。
【先行技術文献】
【特許文献】
【０００３】
【特許文献１】特開２００１−０５６１７６号公報
【発明の概要】
【発明が解決しようとする課題】
【０００４】
しかしながら、特許文献１に開示の構成では、例えば、作業者が貯蔵物を両手で持ち、その両手が塞がっているときに、センサに作業者の指を検知させて扉を開こうとする場合は、貯蔵物を床や机等に一度置いてから、センサに指を検知させる必要があり、作業性に劣る。また、センサの表面に水滴や埃が溜まると、人を検知する感度が低下する可能性が考えられる。
【０００５】
本発明は上記のような事情に基づいて完成されたものであって、作業性を向上することができる貯蔵庫を提供することを目的の一つとする。また、センサの感度の低下を抑制することができる貯蔵庫を提供することをさらなる目的の一つとする。
【課題を解決するための手段】
【０００６】
本発明は、前方に開口する開口部を有する箱状の貯蔵庫本体と、前記貯蔵庫本体に対して回動可能に取り付けられ、前記開口部を開放する開位置と前記開口部を閉じる閉位置との間で回動可能な扉と、前記閉位置にある前記扉を前記開位置側に押し出して回動させる開扉装置と、人体の一部が接近したことを検知するセンサと、前記センサからの検知信号を受けて前記開扉装置を作動させる制御部と、を備え、前記センサは、前記貯蔵庫本体の底面をなす底面部の庫外側面における前側に配されていることに特徴を有する。
【０００７】
このような貯蔵庫によると、作業者が扉を開ける際は、足（つま先）を底面部の下方（即ち、貯蔵庫と床との間）に挿入することで、センサに当該足の接近を検知させ、開扉装置を作動させて扉を開放させることができる。これにより、貯蔵物を持っている等により両手が塞がっている作業者であっても、貯蔵庫の扉を開けることができ、作業効率が向上する。
【０００８】
上記構成において、前記底面部の庫外側面における前側には、前記開扉装置が取り付けられ、前記開扉装置は、前方へ延出した延出部を有し、前記センサは、前記延出部の下面において、下方を向く形で配されていることとすることができる。
【０００９】
このような貯蔵庫によると、センサが前方へ延出した延出部に配されているので、作業者が扉を開ける際は、足を奥まで（後方まで）挿入することなく、センサに当該足の接近を検知させることができる。よって、作業者がつま先で貯蔵庫の扉を開けやすくなる。また、センサは、延出部の下面において、下方を向く形で配されているので、埃や水滴がセンサの表面に溜まりにくく、その感度が低下しにくい。
【００１０】
上記構成において、前記延出部は、第１延出部と、前記第１延出部の上方において、前記第１延出部に重畳する形で配された第２延出部と、を有し、前記センサは、前記第１延出部の下面において、下方を向く形で配されていることとすることができる。
【００１１】
このような貯蔵庫によると、延出部は、センサが配された第１延出部の上方において、第１延出部に重畳する形で配された第２延出部を有するので、上方から降下する埃や滴る水滴を、第２延出部の上面でとどめて、センサの表面に溜めにくくすることができる。
【００１２】
上記構成において、前記底面部の庫外側面における前側には、前記開扉装置と、前記開扉装置と前記センサとを覆うカバー部材と、が取り付けられ、前記カバー部材の下面をなす下面部には、下方に開口する下面部開口部が設けられ、前記センサは、前記下面部開口部から露出していることとすることができる。
【００１３】
このような貯蔵庫によると、作業者が扉を開けるために足を底面部の下方に挿入する際に、開扉装置やセンサを蹴ってしまうことをカバー部材で防ぐことができる。また、埃や水滴が多方向に移動してセンサの表面に溜まることを、カバー部材で防ぐことができる。
【発明の効果】
【００１４】
本発明によれば、作業性を向上することができる貯蔵庫を提供することができる。また、センサの感度の低下を抑制することができる貯蔵庫を提供することが可能となる。
【図面の簡単な説明】
【００１５】
【図１】実施形態に係る冷却貯蔵庫を前方から視た図
【図２】機械室を上方から視た図
【図３】右上側の扉の開閉動作を示す断面図
【図４】右上側の開扉装置を前上方から視た斜視図
【図５】右上側の開扉装置を前方から視た図
【図６】右上側の開扉装置を上方から視た図（扉を押し出す前の状態を示す）
【図７】右上側の開扉装置を上方から視た図（扉を押し出した後の状態を示す）
【図８】貯蔵庫本体の底面部の前側付近の断面図
【図９】右下側の開扉装置を前下方から視た斜視図
【図１０】カバー部材と下側の開扉装置を示す斜視図
【図１１】カバー部材と下側の開扉装置を示す斜視図（前面部を取り外した図）
【図１２】底面部に取り付けられたカバー部材を下方から視た図
【発明を実施するための形態】
【００１６】
＜実施形態＞
本発明の実施形態を図１から図１２によって説明する。本実施形態では、図１に示すように、貯蔵庫として４ドア式の冷却貯蔵庫１０を例示する。なお、各図面において矢印方向Ｌを左方、矢印方向Ｒを右方、矢印方向Ｆを前方、矢印方向Ｂを後方、矢印方向Ｕを上方、矢印方向Ｄを下方として説明する。
【００１７】
図１に示すように、冷却貯蔵庫１０は、箱状の貯蔵庫本体１１と、貯蔵庫本体１１の上方に配された機械室１２と、貯蔵庫本体１１に対して回動可能に取り付けられた複数（４枚）の扉１３と、を備える。また、冷却貯蔵庫１０は、貯蔵庫本体１１の底面をなす底面部１８の左右及び前後の角部から下方に延出した脚部１９によって支持されて、図示しない床に設置されている。貯蔵庫本体１１は、前方に開口する開口部１４（図３参照）を有する断熱箱体であって、貯蔵物を貯蔵することができる貯蔵室１５を有する。貯蔵庫本体１１には、上下方向に２組配列され、左右で一対となる扉１３が４つ取り付けられている。４つの扉１３のうち、右上側の扉を１３Ａ、左上側の扉を１３Ｂ、右下側の扉を１３Ｃ、左下側の扉を１３Ｄとする。
【００１８】
扉１３は、ヒンジピン１６を備えるヒンジ部材１７を介して貯蔵庫本体１１に対して回動可能に取り付けられている。これにより、図３に示すように、扉１３（１３Ａ）は、開口部１４を閉じる閉位置（実線で示す）と開口部１４を開放する開位置（２点鎖線で示す）との間で回動可能となっている。扉１３の庫内側の面には、マグネットガスケット３０（図６参照）が貼設されている。閉位置にある扉１３は、マグネットガスケット３０の吸着力により、貯蔵庫本体１１に対して吸着されている。
【００１９】
図１に示すように、貯蔵庫本体１１の上下部分における中央側には、閉位置にある扉１３を開位置側に押し出して回動させる開扉装置４０が配されている。開扉装置４０は、右上側の扉１３Ａを押し出す右上開扉装置４０Ａ、左上側の扉１３Ｂを押し出す左上開扉装置４０Ｂ、右下側の扉１３Ｃを押し出す右下開扉装置４０Ｃ、及び、左下側の扉１３Ｄを押し出す左下開扉装置４０Ｄ、の４台からなる。これらは、それぞれが独立して作動する。
【００２０】
開扉装置４０は、人体の一部が接近したことを検知する人感センサ（センサ）６４と、センサ６４からの検知信号を受ける制御部７０（図２参照）と、によって開扉動作を行う（詳細は後述する）。人感センサ６４は、右上開扉装置４０Ａを作動させるための右上人感センサ６４Ａ、左上開扉装置４０Ｂを作動させるための左上人感センサ６４Ｂ、右下側の扉１３Ｃの左下側であって、底面部１８の庫外側面における前側に配され、右下開扉装置４０Ｃを作動させるための右下人感センサ６４Ｃ、及び、左下側の扉１３Ｄの右下側であって、底面部１８の庫外側面における前側に配され、左下開扉装置４０Ｄを作動させるための左下人感センサ６４Ｄ、の４機からなる。右上人感センサ６４Ａと左上人感センサ６４Ｂは、右上側の扉１３Ａの左下側と左上側の扉１３Ｂの右下側にそれぞれ取り付けられている（従って、扉１３Ａ，１３Ｂの開閉と共に移動可能とされる）。右下人感センサ６４Ｃと左下人感センサ６４Ｄは、右下開扉装置４０Ｃと左下開扉装置４０Ｄにそれぞれ備えられている。人感センサ６４としては、例えば、赤外線センサを採用することができる。
【００２１】
図２に示すように、機械室１２には、冷却装置２０、制御部７０を有する電装箱２１、及び開扉装置４０（右上開扉装置４０Ａ，左上開扉装置４０Ｂ）が収容されている。冷却装置２０（冷凍ユニット）は、凝縮器２２や圧縮機２４等を備える。冷却装置２０は、貯蔵庫本体１１内において貯蔵室１５の上方に設けられた冷却器室（不図示）に配された冷却器（不図示）と冷媒管によって循環接続されている。冷却装置２０が駆動すると、冷却器が冷気を生成するとともに、冷却器室に配された冷却ファン（不図示）によってその冷気が貯蔵室１５に送られる。
【００２２】
右上開扉装置４０Ａ及び左上開扉装置４０Ｂは、機械室１２の前端部において中央寄りに配されている。以降は、図４から図７を用いて、右上開扉装置４０Ａの構成について説明する。尚、左上開扉装置４０Ｂは、右上開扉装置４０Ａと左右対称となる構成である。
【００２３】
図４から図６に示すように、右上開扉装置４０Ａは、前後方向を軸方向として当該前後方向（所定方向）に動くプランジャ４２Ａ（可動鉄芯）を有するソレノイド４１Ａと、プランジャ４２Ａの前端部において、プランジャ４２Ａの軸方向に垂直に交わる方向（上下方向）を軸方向として取り付けられた棒状の棒部材４９Ａと、を備える。また、右上開扉装置４０Ａは、右側の端部（後述する力点部４５Ａ）が棒部材４９Ａの中央部分に取り付けられた押し出し部４３Ａと、棒部材４９Ａの上下側の端部に取り付けられた規制部材５０Ａと、右上側の扉１３Ａが閉位置又は開位置にあることを検知する扉センサ６３Ａと、を備える。尚、棒部材４９Ａ、規制部材５０Ａ、プランジャ４２Ａ、及び押し出し部４３Ａの素材としては、鉄やアルミニウムなどの金属を採用することができる。また、扉センサ６３Ａとしては、例えば、磁気センサを採用することができる。
【００２４】
規制部材５０Ａは、棒部材４９Ａの上端部に取り付けられた板状の上側規制部５１Ａと、棒部材４９Ａの下端部に取り付けられ、上側規制部５１Ａの下方において、上側規制部５１Ａに重畳する形で配された板状の下側規制部５５Ａと、を備える。上側規制部５１Ａ及び下側規制部５５Ａは、棒部材４９Ａとの接触を緩衝する緩衝部材５２Ａ，５６Ａを備える。緩衝部材５２Ａ，５６Ａは、前後方向に長手状の孔を形成する孔部５３Ａ，５７Ａを備える。尚、緩衝部材５２Ａ，５６Ａ（孔部５３Ａ，５７Ａ）の素材としては、ポリプロピレン等の樹脂を採用することができる。
【００２５】
棒部材４９Ａは、規制部材５０Ａ、プランジャ４２Ａ、及び押し出し部４３Ａを上下方向に貫通することで、各部材に取り付けられており、プランジャ４２が前後方向へ動くことで、前後方向に移動することができる。また、棒部材４９Ａは、上側規制部５１Ａ及び下側規制部５５Ａによって、その移動方向が規制される。具体的には、棒部材４９Ａは、孔部５３Ａ，５７Ａの孔に挿入されており、その軸方向を上下方向に保ったまま、前後方向に摺動可能とされる。
【００２６】
押し出し部４３Ａは、中央やや右寄りの部分に位置する円柱状の支点部４４Ａと、支点部４４Ａよりも右側の部分であって棒部材４９Ａに取り付けられた力点部４５Ａと、支点部４４Ａよりも左側の部分の作用点部４６Ａと、を備える。また、押し出し部４３Ａは、棒部材４９Ａが前後方向に摺動して力点部４５Ａを動かすことで、作用点部４６Ａが支点部４４Ａを中心として回動するものとされる。尚、支点部４４Ａから力点部４５Ａの右側の端部までの距離は、支点部４４Ａから作用点部４６Ａの左側の端部までの距離よりも小さい。従って、てこの原理により、作用点部４６Ａは、力点部４５Ａに比して、動く速さが速く、その力が小さい。また、作用点部４６Ａ（図６参照）には、支点部４４Ａを中心として時計回りの方向に押し出し部４３Ａを付勢する付勢部材３１が設けられている。さらに、力点部４５Ａ（図４参照）には、規制部材５０Ａと同様に、棒部材４９Ａが貫通する、左右方向に長手状の孔を形成する孔部を有する緩衝部材が備えられている。
【００２７】
作用点部４６Ａは、閉位置にある右上側の扉１３Ａに当接する当接部４７Ａと、当接部４７Ａから支点部４４Ａに至るまで面状に広がる面状部４８Ａと、を備える。具体的には、当接部４７Ａは、左右方向を長手方向とする長板状をなし、閉位置にある右上側の扉１３Ａにおける庫内側（後側）の面と平行な面に配されている。図４及び図５に示すように、面状部４８Ａは、前後左右に広がる板状部分であって、支点部４４Ａが挿通された第１板部４８Ａ１と、上下左右に広がる板状部分であって、第１板部４８Ａ１の前端から立下り、当接部４７Ａをその下端部に配した第２板部４８Ａ２と、からなる。図５に示すように、第２板部４８Ａ２は、その右側の端部が、当接部４７Ａから上方に向かうほど、支点部４４Ａに重畳する位置まで右方に延伸した形をなす。
【００２８】
続いて、図１、図６及び図７を用いて右上開扉装置４０Ａが右上側の扉１３Ａを押し出す態様を説明する。図１に示すように、右上側の扉１３Ａが閉位置にある状態において、右上人感センサ６４Ａに作業者の手や腕などが接近すると、右上人感センサ６４Ａがこれを検知し、その検知信号が制御部７０（図２参照）に送信される。このとき、図６に示すように、扉センサ６３Ａが、右上側の扉１３Ａが閉位置にあることを検知し、その検知信号が制御部７０に送信される（もしくは、扉センサ６３Ａから信号が送信されないことで、右上側の扉１３Ａが閉位置にあることを制御部７０が判断する）。当該信号を受信した制御部７０は、右上開扉装置４０Ａを作動させる。尚、制御部７０は、右上人感センサ６４Ａからの検知信号を受信した後に、作業者の手や腕などが離間し、所定時間経過後に右上開扉装置４０Ａを作動させるものとしてもよい。
【００２９】
具体的には、右上側の扉１３Ａが閉位置にある状態において、右上開扉装置４０Ａが作動すると、ソレノイド４１Ａへの通電によってプランジャ４２Ａが後方へ移動し、ソレノイド４１Ａ内に吸着される。すると、図７に示すように、プランジャ４２Ａの前端部に取り付けられた棒部材４９Ａが、プランジャ４２Ａと共に後方へ移動する。このとき、棒部材４９Ａは、その軸方向を上下方向に保ったまま、孔部５３Ａ，５７Ａを摺動しながら後方へ移動し、力点部４５Ａを後方へ（上方から視た場合に、支点部４４Ａを中心として、反時計回りに）動かす。
【００３０】
すると、作用点部４６Ａが前方へ（上方から視た場合に、支点部４４Ａを中心として反時計回りに）回動し、当接部４７Ａが、右上側の扉１３Ａを前方へ押し出す。そして、右上側の扉１３Ａは、閉位置から前方に（図３に示すように、上方から視た場合に、ヒンジピン１６を中心として反時計回りに）回動し、開位置に移動する。このようにして、押し出し部４３Ａが回動して右上側の扉１３Ａを開放する。尚、右上側の扉１３Ａを開放した後は、付勢部材３１が押し出し部４３Ａを後方に回動させ、棒部材４９Ａ及びプランジャ４２Ａが上記の動きを遡ることで、右上開扉装置４０Ａが作動する前の状態に戻る。
【００３１】
続いて、右下開扉装置４０Ｃ及び左下開扉装置４０Ｄと、カバー部材９０について説明する。図１及び図８に示すように、貯蔵庫本体１１の底面をなす底面部１８において、庫外側面（下面）における前側やや中央寄りには、右下人感センサ６４Ｃを有する右下開扉装置４０Ｃ及び左下人感センサ６４Ｄを有する左下開扉装置４０Ｄと、右下開扉装置４０Ｃ及び左下開扉装置４０Ｄとを庫外側（前下方）から覆う板状のカバー部材９０と、が取り付けられている。尚、底面部１８は、脚部１９によって、冷却貯蔵庫１０が設置された床（不図示）から所定間隔を空けて上方に配されている。そして、カバー部材９０と当該床との間には、作業者の足が挿入することができる程度の間隔が設けられている。
【００３２】
図９に示すように、右下開扉装置４０Ｃは、プランジャ４２Ｃ（可動鉄芯）ソレノイド４１Ｃと、棒部材４９Ｃと、押し出し部４３Ｃと、規制部材５０Ｃと、扉センサ６３Ｃと、を備える。規制部材５０Ｃは、孔部５３Ｃ，５７Ｃを有する緩衝部材５２Ｃ，５６Ｃを備える。そして、押し出し部４３Ｃは、支点部４４Ｃと、力点部４５Ｃと、作用点部４６Ｃと、を備える。作用点部４６Ｃは、当接部４７Ｃと、面状部４８Ｃと、を備える。これらの構成は、右上開扉装置４０Ａ（図４から図７参照）の構成の上下を反転させた構成（上下対称のもの）と同様であり、その詳細の説明を省略する。また、右下開扉装置４０Ｃが右上側の扉１３Ｃを押し出す態様についても、右上開扉装置４０Ａが右上側の扉１３Ａを押し出す態様（図６及び図７参照）と同様であり、その詳細の説明を省略する。尚、左下開扉装置４０Ｄは、右下開扉装置４０Ｃと左右対称となる構成である。
【００３３】
右下開扉装置４０Ｃは、その右側の前端部分であって規制部材５０Ｃの右前側において、前方へ延出した延出部８０を有する。延出部８０は、第１延出部８１と、第１延出部８１の上方において、第１延出部８１に重畳する形で配された第２延出部８２と、を有する。第１延出部８１と第２延出部８２は、左右方向を長手方向とする長板状をなし、その板面が水平方向に広がっている。第１延出部８１には、右下人感センサ６４Ｃが取り付けられている。右下人感センサ６４Ｃは、第１延出部８１の下面において、下方を向く形で配されている。
【００３４】
図１０及び図１１に示すように、カバー部材９０は、前面をなす前面部９１と、左右の面をなす側面部９２，９２と、下面をなす下面部９４と、を備えるとともに、これらによって囲まれた空間の左右側に、右下開扉装置４０Ｃと、左下開扉装置４０Ｄとを内包する。
【００３５】
前面部９１は、その上端が後方に折れ曲がった折れ曲がり部９６を有する。折れ曲がり部９６は、中央よりも左右側において、上下方向に開口する２つの押し出し部用開口部９７，９７を備える。押し出し部用開口部９７，９７の開口には、右下開扉装置４０Ｃの押し出し部４３Ｃと左下開扉装置４０Ｄの押し出し部４３Ｄとが挿入され、その当接部４７Ｃ，４７Ｄが、折れ曲がり部９６の上方に突出している。そして、押し出し部用開口部９７，９７の開口の形状は、押し出し部４３Ｃ，４３Ｄが回動して、下側の扉１３Ｃ，１３Ｄを押し出すことが可能な形とされている。
【００３６】
側面部９２は、その前側において、上方に立ち上がる立ち上がり部９３を備える。立ち上がり部９３の後上側の縁部及び折れ曲がり部９６の後側の縁部は、底面部１８の前側に嵌合している（図１及び図８参照）。これにより、冷却貯蔵庫１０の前方に立つ作業者がカバー部材９０を足で蹴とばしたとしても、カバー部材９０が後方にずれにくい。
【００３７】
図１２に示すように、下面部９４の右上側及び左上側には、下方（紙面手前側）に開口する２つの下面部開口部９５，９５が設けられている。下面部開口部９５，９５の開口には、右下開扉装置４０Ｃの右下人感センサ６４Ｃと左下開扉装置４０Ｄの左下人感センサ６４Ｄとが挿入されている。人感センサ６４Ｃ，６４Ｄは、下面部９４から下方へ突出しない位置（人感センサ６４Ｃ，６４Ｄの表面が下面部９４と面一になる位置）に配されつつ、下面部開口部９５，９５の開口から下方に露出している。
【００３８】
続いて、本実施形態の効果について説明する。本実施形態における貯蔵庫１０は、前方に開口する開口部１４を有する箱状の貯蔵庫本体１１と、貯蔵庫本体１１に対して回動可能に取り付けられ、開口部１４を開放する開位置と開口部１４を閉じる閉位置との間で回動可能な扉１３と、閉位置にある扉１３を開位置側に押し出して回動させる開扉装置４０と、人体の一部が接近したことを検知する人感センサ６４と、人感センサ６４からの検知信号を受けて開扉装置４０を作動させる制御部７０と、を備え、人感センサ６４Ｃ，６４Ｄは、貯蔵庫本体１１の底面をなす底面部１８の庫外側面における前側に配されている。
【００３９】
このような貯蔵庫１０によると、作業者が扉１３Ｃ，１３Ｄを開ける際は、足（つま先）を底面部１８の下方（即ち、貯蔵庫１０と床との間）に挿入することで、人感センサ６４Ｃ，６４Ｄに当該足の接近を検知させ、開扉装置４０Ｃ，４０Ｄを作動させて扉１３Ｃ，１３Ｄを開放させることができる。これにより、貯蔵物を持っている等により両手が塞がっている作業者であっても、貯蔵庫１０の扉１３Ｃ，１３Ｄを開けることができ、作業効率が向上する。
【００４０】
また、本実施形態では、底面部１８の庫外側面における前側には、開扉装置４０Ｃ，４０Ｄが取り付けられ、開扉装置４０Ｃは、前方へ延出した延出部８０を有し、人感センサ６４Ｃは、延出部８０の下面において、下方を向く形で配されている。
【００４１】
このような貯蔵庫１０によると、人感センサ６４Ｃが前方へ延出した延出部８０に配されているので、作業者が扉１３Ｃを開ける際は、足を奥まで（後方まで）挿入することなく、人感センサ６４Ｃに当該足の接近を検知させることができる。よって、作業者がつま先で貯蔵庫１０の扉１３Ｃを開けやすくなる。また、人感センサ６４Ｃは、延出部８０の下面において、下方を向く形で配されているので、埃や水滴が人感センサ６４Ｃの表面に溜まりにくく、その感度が低下しにくい。
【００４２】
また、本実施形態では、延出部８０は、第１延出部８１と、第１延出部８１の上方において、第１延出部８１に重畳する形で配された第２延出部８２と、を有し、人感センサ６４Ｃは、第１延出部８１の下面において、下方を向く形で配されている。
【００４３】
このような貯蔵庫１０によると、延出部８０は、人感センサ６４Ｃが配された第１延出部８１の上方において、第１延出部８１に重畳する形で配された第２延出部８２を有するので、上方から降下する埃や滴る水滴を、第２延出部８２の上面でとどめて、人感センサ６４Ｃの表面に溜めにくくすることができる。
【００４４】
また、本実施形態では、底面部１８の庫外側面における前側には、開扉装置４０Ｃ，４０Ｄと、開扉装置４０Ｃと人感センサ６４Ｃ，６４Ｄとを覆うカバー部材９０と、が取り付けられ、カバー部材９０の下面をなす下面部９４には、下方に開口する下面部開口部９５が設けられ、人感センサ６４Ｃ，６４Ｄは、下面部開口部９５から露出している。
【００４５】
このような貯蔵庫１０によると、作業者が扉１３Ｃ，１３Ｄを開けるために足を底面部１８の下方に挿入する際に、開扉装置４０Ｃ，４０Ｄや人感センサ６４Ｃ，６４Ｄを蹴ってしまうことをカバー部材９０で防ぐことができる。また、埃や水滴が多方向に移動して人感センサ６４Ｃ，６４Ｄの表面に溜まることを、カバー部材９０で防ぐことができる。
【００４６】
また、本実施形態における貯蔵庫１０において、開扉装置４０は、前後方向に動くプランジャ４２を有するソレノイド４１Ａ，４１Ｃと、プランジャ４２に交わる形で取り付けられた棒状の棒部材４９Ａ，４９Ｃと、棒部材４９Ａ，４９Ｃに取り付けられ、プランジャ４２が前後方向に動くことで、扉１３を押し出して回動させる押し出し部４３と、棒部材４９Ａ，４９Ｃの移動方向を規制する規制部材５０Ａ，５０Ｃと、を備え、規制部材５０Ａ，５０Ｃは、棒部材４９Ａ，４９Ｃとの接触を緩衝する緩衝部材５２Ａ，５６Ａ，５２Ｃ，５６Ｃを備え、緩衝部材５２Ａ，５６Ａ，５２Ｃ，５６Ｃは、前後方向に長手状をなす孔を形成する孔部５３Ａ，５７Ａ，５３Ｃ，５７Ｃを備え、棒部材４９Ａ，４９Ｃは、孔部５３Ａ，５７Ａ，５３Ｃ，５７Ｃの孔に挿入されて前後方向に摺動可能とされている。
【００４７】
このような貯蔵庫１０によると、棒部材４９Ａ，４９Ｃが摺動する速さや力を、孔部５３Ａ，５７Ａ，５３Ｃ，５７Ｃにおける長手状の孔によって調整することができる。例えば、孔部５３Ａ，５７Ａ，５３Ｃ，５７Ｃの孔を小さくすることで、棒部材４９Ａ，４９Ｃを摺動しづらくしたり、棒部材４９Ａ，４９Ｃが前後方向に摺動する距離を小さくしたりすることができる。すると、押し出し部４３が扉１３を押し出す速さや力を変化させて、扉１３が回動する態様を調整することができる。また、例えば規制部材５０Ａ，５０Ｃ全体を金属で形成して耐久性を向上させる一方、孔部５３Ａ，５７Ａ，５３Ｃ，５７Ｃを樹脂成形品からなる緩衝部材５２Ａ，５６Ａ，５２Ｃ，５６Ｃで形成することで、上記のような調整を成形品の交換で簡便に実現できる。
【００４８】
また、本実施形態では、押し出し部４３は、支点部４４Ａ，４４Ｃと、棒部材４９Ａ，４９Ｃに取り付けられた力点部４５Ａ，４５Ｃと、支点部４４Ａ，４４Ｃよりも、力点部４５Ａ，４５Ｃに対して反対側に位置する作用点部４６Ａ，４６Ｃと、を備え、棒部材４９Ａ，４９Ｃが前後方向に摺動して力点部４５Ａ，４５Ｃを動かすことで、作用点部４６Ａ，４６Ｃが支点部４４Ａ，４４Ｃを中心として回動するものとされ、作用点部４６Ａ，４６Ｃは、閉位置にある扉１３に当接し、当該作用点部４６Ａ，４６Ｃの回動により扉１３を押し出す当接部４７Ａ，４７Ｃと、当接部４７Ａ，４７Ｃから支点部４４Ａ，４４Ｃに至るまで面状に広がる面状部４８Ａ，４８Ｃと、を備える。
【００４９】
このような貯蔵庫１０によると、作用点部４６Ａ，４６Ｃは、当接部４７Ａ，４７Ｃから支点部４４Ａ，４４Ｃに至るまで面状に広がる面状部４８Ａ，４８Ｃを備えるので、作用点部４６Ａ，４６Ｃから支点部４４Ａ，４４Ｃまでの剛性を高めることができる。これにより、扉１３を押し出す際に作用点部４６Ａ，４６Ｃが折れ曲がったり破損したりすることを防ぐことができる。また、押し出し部４３は、棒部材４９Ａ，４９Ｃが前後方向に摺動して力点部４５Ａ，４５Ｃを動かすことで、作用点部４６Ａ，４６Ｃが支点部４４Ａ，４４Ｃを中心として回動するものとされるので、てこの原理を利用して、作用点部４６Ａ，４６Ｃが回動する速さや力を調整することができる。例えば、支点部４４Ａ，４４Ｃから力点部４５Ａ，４５Ｃまでの距離を、支点部４４Ａ，４４Ｃから作用点部４６Ａ，４６Ｃまでの距離よりも小さくすれば、作用点部４６Ａ，４６Ｃが回動する速さを速くしつつ、その力を小さくすることができる。これにより、当接部４７Ａ，４７Ｃが扉１３を押し出す態様を調整することができる。
【００５０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５１】
（１）上記実施形態では、貯蔵庫として冷却貯蔵庫を例示したが、これに限定されない。例えば、貯蔵庫として、ショーケース等を例示することができる。
【００５２】
（２）上記実施形態では、制御部は、機械室の電装箱に収容されるものとしたが、これに限られない。例えば、制御部は、底面部の庫外側面や貯蔵庫本体の背面に配された部材に設けられていてもよい。
【００５３】
（３）上記実施形態以外にも、押し出し部の構成は適宜変更可能である。上記実施形態では、支点部から力点部の端部までの距離は、支点部から作用点部の端部までの距離よりも小さいものとしたが、これに限られない。例えば、支点部から力点部の端部までの距離は、支点部から作用点部の端部までの距離よりも大きいものとしてもよい。その場合、てこの原理により、作用点部は、力点部に比して、動く速さが遅く、その力が大きくなる。
【符号の説明】
【００５４】
１０…冷却貯蔵庫（貯蔵庫）、１１…貯蔵庫本体、１３…扉、１４…開口部、１８…底面部、３１…付勢部材、４０…開扉装置、４１Ａ，４１Ｃ…ソレノイド、４２…プランジャ、４３…押し出し部、４４Ａ，４４Ｃ…支点部、４５Ａ，４５Ｃ…力点部、４６Ａ，４６Ｃ…作用点部、４７Ａ，４７Ｃ…当接部、４８Ａ，４８Ｃ…面状部、４９Ａ，４９Ｃ…棒部材、５０Ａ，５０Ｃ…規制部材、５２Ａ，５６Ａ，５２Ｃ，５６Ｃ…緩衝部材、５３Ａ，５７Ａ，５３Ｃ，５７Ｃ…孔部、６４…人感センサ（センサ）、７０…制御部、８０…延出部、８１…第１延出部、８２…第２延出部、９０…カバー部材、９５…下面部開口部
【図１】
2020133960.tif 000003
【図２】
2020133960.tif 000004
【図３】
2020133960.tif 000005
【図４】
2020133960.tif 000006
【図５】
2020133960.tif 000007
【図６】
2020133960.tif 000008
【図７】
2020133960.tif 000009
【図８】
2020133960.tif 000010
【図９】
2020133960.tif 000011
【図１０】
2020133960.tif 000012
【図１１】
2020133960.tif 000013
【図１２】
2020133960.tif 000014